(57)【要約】【課題】冷凍室等の引き出し容器を備えた冷却室の扉近傍の断熱性能を向上するため、扉近傍に冷気が対流しない空気層を発生させることができる冷蔵庫を提供する。【解決手段】引き出し容器の側外面及び底面と、冷却室の側壁２５及び床面５２との間隙に対流制御部２６を設け、冷気が対流制御部２６より前面側に対流することを抑制し、冷却室の扉８近傍に空気層を発生させる。この空気層が断熱層となるので、扉近傍の断熱性が向上し、冷却室扉８周辺から冷却室内への熱侵入を低減する。【選択図】      図３
2014070743.tif 000002
【特許請求の範囲】
【請求項１】
前面が開口し、内壁面が床面、背面及び側面である冷却室と、
前記冷却室の前記前面に開閉自在に設けられた扉と、
前記冷却室に設けられ、上面が開口している引き出し容器と、
前記冷却室の内側背面であって前記引き出し容器の上面より下方に設けられ、前記冷却室の空気を吸い込む吸込口と、
前記吸込口で吸い込まれた空気を冷却する冷却器と、
前記冷却器で冷却された空気を前記容器内に吹き出す吹出口と、
前記引き出し容器の上面から溢れた前記冷却された空気が前記冷却室の側面と前記引き出し容器の側外面との間を下降し前記背面側に流れて前記吸込口で吸い込まれるように前記溢れた前記冷却された空気を対流させると共に、前記引き出し容器の上面から溢れた前記冷却された空気が前記扉の内側と前記引き出し容器の前外面との第１の間隙に対流することを抑制する対流制御部と
を備えた冷蔵庫。
【請求項２】
前記対流制御部が、前記引き出し容器の側外面と前記冷却室の側面との第２の間隙に設けられたこと
を特徴とする請求項１に記載の冷蔵庫。
【請求項３】
前記対流制御部が、前記引き出し容器の底面と前記冷却室の床面との第３の間隙にさらに設けられたこと
を特徴とする請求項２に記載の冷蔵庫。
【請求項４】
前記対流制御部が、前記引き出し容器の中央より前面側に位置すること
を特徴とする請求項２または３に記載の冷蔵庫。
【請求項５】
前記対流制御部が、前記第２の間隙において、前記引き出し容器の上面の高さまで形成されていること
を特徴とする請求項２から４のいずれか１項に記載の冷蔵庫。
【請求項６】
前記対流制御部が、膜状のシール部材でなり、その一辺が前記引き出し容器または前記冷却室のいずれか一方に貼付されていること
を特徴とする請求項２から５のいずれか１項に記載の冷蔵庫。
【請求項７】
前記対流制御部が、棒状のシール部材でなり、前記引き出し容器または前記冷却室のいずれか一方に固定されていること
を特徴とする請求項２から５のいずれか１項に記載の冷蔵庫。
【請求項８】
前記対流制御部が、前記引き出し容器の突出部であること
を特徴とする請求項２から５のいずれか１項に記載の冷蔵庫。
【請求項９】
前記対流制御部が、前記冷却室の側面または床面の突出部であること
を特徴とする請求項２から５のいずれか１項に記載の冷蔵庫。
【請求項１０】
前記対流制御部が、前記引き出し容器の一部が中空構造になって形成されていること
を特徴とする請求項２から５のいずれか１項に記載の冷蔵庫。
【請求項１１】
前記中空構造の内部に補強用リブが設けられていること
を特徴とする請求項１０に記載の冷蔵庫。
【請求項１２】
前記対流制御部が、前記引き出し容器の上面と前記冷却室の天井との第４の間隙に設けられたこと
を特徴とする請求項２から７のいずれか１項に記載の冷蔵庫。
【請求項１３】
前記引き出し容器が、前記対流制御部より前面側の上面を覆うふたを備えたこと
を特徴とする請求項１から１２のいずれか１項に記載の冷蔵庫。
【請求項１４】
前記引き出し容器が２段構造であること
を特徴とする請求項１から１３のいずれか１項に記載の冷蔵庫。
【請求項１５】
前記冷却室が冷凍室、切り替え室、製氷室または野菜室のいずれかであること
を特徴とする請求項１から１４のいずれか１項に記載の冷蔵庫。
【請求項１６】
前記冷却器で冷却された空気を庫内へ送り込むファンを備えたこと
を特徴とする請求項１から１５のいずれか１項に記載の冷蔵庫。
【発明の詳細な説明】
【技術分野】
【０００１】
この発明は、引き出し容器を備えた冷蔵庫に関するものである。
【背景技術】
【０００２】
従来の冷蔵庫は、冷却器で冷却された空気が、庫内ファンによって冷蔵庫背面にある冷気吹出口から引き出し容器内へ吹き出される。冷蔵庫内を区分する例えば冷凍室等の冷却室では、冷気吹出口から噴出された冷気が、冷却室内にある引き出し容器内を循環することにより冷却が実施されている。引き出し容器内を冷却した冷気は、引き出し容器の上部から冷却室扉と引き出し容器前外面との間隙や、冷却室側壁と引き出し容器の側外面との間隙を通り、引き出し容器の底面と冷却室床面との間隙を流れて冷却器に戻って再び冷却される。
【０００３】
冷蔵庫の省エネを向上するためには、冷却室の断熱性能を高くすることが必要である。開閉操作が必要な冷却室扉と冷却室の前面開口縁との間は、断熱材を十分に設けることが困難であり、冷却室外からの熱侵入を抑制するためにシール機能を有するパッキンにより密閉されている。パッキンは通常ゴム磁性体からなり、冷却されるとパッキンのシール機能が低下して冷却室内と冷却室外との温度遮断が不足し、熱侵入が大きくなってしまう。
【０００４】
従来の冷蔵庫では、冷気が対流されやすい冷却室扉の底辺のパッキンを、鰭状のパッキンで覆うことにより底辺のパッキンに冷気が直接当たらないように対策している。さらに、冷気の対流が冷却室扉と引き出し容器前外面との間隙から、側壁側へ拡がることなく引き出し容器の底面と冷却室床面との隙間を流れて背面にある冷気吸水口を通り冷却器に戻るように、冷却室扉または引き出し容器前外面に上下方向に延伸した整流のためのガイド体を設けて、左右両側のパッキンに冷気が流れることを抑制している（例えば、特許文献１参照）。
【先行技術文献】
【特許文献】
【０００５】
【特許文献１】特開２００６−７８０２５号公報
【発明の概要】
【発明が解決しようとする課題】
【０００６】
従来の冷却室は、ガイド体により左右両側のパッキンへの冷気の対流は抑制されているが、冷却室扉と引き出し容器前外面の間隙で対流が促進されているため、鰭状のパッキンに覆われて直接冷気は当たらないものの、底辺のパッキンが冷却されてシール機能が低下してしまい、扉周辺から冷却室内への熱侵入が十分抑制できないという問題があった。
【０００７】
本発明は、上述のような問題を解決するためになされたもので、冷却室扉周辺から冷却室内への熱侵入が十分に低減された冷蔵庫を提供することを目的とする。
【課題を解決するための手段】
【０００８】
本発明に係る冷蔵庫は、引き出し容器の上面から溢れた空気を冷却室の側面と引き出し容器の側外面との間を下降し背面側に流れて吸込口で吸い込まれるように対流させると共に、引き出し容器の上面から溢れた空気が冷却室扉の内側と引き出し容器の前外面との間隙に対流することを抑制する対流制御部を備えたものである。
【発明の効果】
【０００９】
本発明に係る冷蔵庫によれば、引き出し容器の上面から溢れる空気が、扉の内側と引き出し容器の前外面との間隙に対流することを抑制する対流制御部を備えたことにより、左右両側および底辺のパッキンが設けられている冷却室扉近傍に冷気が対流せず、冷却室扉近傍は淀んだ空気層となるため、パッキンのシール機能を低下させないので冷却室内への熱侵入を十分に抑制することができる。
【図面の簡単な説明】
【００１０】
【図１】本発明の実施の形態１に係る冷蔵庫を扉前方から見た外観を示す図である。
【図２】本発明の実施の形態１に係る冷蔵庫を側面方向から見た断面図である。
【図３】本発明の実施の形態１に係る冷凍室を背面方向から見た斜視図である。
【図４】本発明の実施の形態１に係る冷凍室を側面方向から見た断面図である。
【図５】本発明の実施の形態１に係る冷凍室の冷凍室上ケースにフタを備えた冷凍室を背面方向から見た斜視図である。
【図６】本発明の実施の形態１に係る冷凍室への熱侵入量をシミュレーションした結果を示す棒グラフである。
【図７】本発明の実施の形態１に係る冷凍室の別の例を背面方向から見た斜視図である。
【図８】本発明の実施の形態２に係る冷凍室を正面方向から見た左側半分の断面図である。
【図９】本発明の実施の形態２に係る対流制御部を冷凍室側壁の突出部とした冷凍室正面方向から見た断面図である。
【図１０】本発明の実施の形態２に係るシール部材を側壁面とする冷凍室正面の断面図である。
【図１１】本発明の実施の形態３に係るシール部材を備えた冷凍室正面の断面図である。
【図１２】本発明の実施の形態３に係るシール部材を備えた冷凍室正面の断面図である。
【発明を実施するための形態】
【００１１】
実施の形態１．
まず、この発明の実施の形態１に係る冷蔵庫の構成を説明する。図１は、本発明の実施の形態１に係る冷蔵庫１００の全体を扉前方から見た外観を示す。冷蔵庫１００は、合計５つの部屋を有するが、最上部には扉が２枚設けられた冷蔵室１が位置し、最下部には野菜室５が位置する。また、野菜室５の上には冷凍室４が位置し、冷凍室４と冷蔵室１の間にあって正面右側に位置するのは切替室２、正面左側に位置するのは製氷室３である。
【００１２】
図２に冷蔵庫１００を側面方向から見た断面図を示す。冷蔵庫１００の各部屋は、食品の出し入れを行うために前面に開閉自在に設けられた扉を有するが、図２ではそれぞれ冷蔵室扉６、切替室扉７、冷凍室扉８、野菜室扉９で示される。また、図２で各部屋は冷蔵室床面５０、切替室床面５１、冷凍室床面５２、野菜室床面５３により仕切られている。冷蔵室１には、調味料などを収納する冷蔵室ケース５６が備えられている。冷蔵室１を除く各部屋は、食品を収納するために引き出し可能で、上面が開口しているプラスチック製の収納ケース（引き出し容器）を有している。図２において切替室２は引き出し容器として切替室ケース１０を有し、切替室ケース１０内を冷却するために切替室吹出口１６を設けている。また、冷凍室４は引き出し容器として冷凍室上ケース１１と冷凍室下ケース１２の２つのケースを有し、それぞれのケース内を冷却するために冷凍室上吹出口１７、冷凍室下吹出口１８を設けている。野菜室５も引き出し容器として野菜室上ケース１４と野菜室下ケース１５の２つのケースを有している。なお、引き出し容器である収納ケースは、通常レール１３により支えられているが、本実施の形態を実施するにあたり、レール１３の位置を高さ方向に変更することは差し支え無い。
【００１３】
実施の形態１では冷凍室４が本発明における冷却室に相当する。尚、その他の部屋の例えば切替室２が冷却室となるように構成されていても同様の効果が得られるのは言うまでもない。
【００１４】
冷蔵庫１００の背面側には、庫内空気を冷却するための冷却器２０が設けられている。冷却器２０、圧縮機２２、凝縮パイプ２３及び毛細管（図示せず）により、冷却サイクルが構成されており、いわゆるヒートポンプ機能により庫内の熱を冷却器２０で除熱し、凝縮パイプ２３を通じて冷蔵庫１００の外へ排出している。冷却器２０で冷却された空気（冷気）は、図２内の矢印で示されるようにファン１９を用いることで各部屋に送り込まれるが、例えば冷凍室４では、冷凍室上吹出口１７及び冷凍室下吹出口１８から引き出し容器内を循環した冷気が、冷気吸込口２４を通って、再び冷却器２０に戻り冷却される。尚、冷凍室上吹出口１７は冷凍室４の内側背面に、冷凍室上ケース１１の上面より上方に、冷凍室下吹出口１８は冷凍室４の内側背面に、冷凍室下ケース１２の上面より上方に備えられている。また、冷気吸込口２４は冷凍室４の内側背面で、冷凍室下ケース１２の上面より下方に設けられている。長時間に渡り冷蔵庫１００を動作させた場合は、冷却器２０に霜が付着するため、除霜装置２１により定期的に霜の除去が行われる。
【００１５】
冷蔵庫１００の各部屋の扉は食品の取り出し時または収納時に開閉されるが、開閉操作時の温度変化によって扉周辺に結露が生じるのを防止するため、扉周辺には結露防止対策がなされる。本実施の形態では、凝縮パイプ２３を扉周辺に設けることによって結露防止対策を行っている。
【００１６】
次に、実施の形態１では冷蔵庫１００の５つの部屋のうち、冷凍室４を冷却室の一例として取り上げて本実施の形態の特徴を説明する。
【００１７】
図３に冷凍室４を背面方向から見た斜視図、図４に冷凍室４を側面方向から見た断面図を示す。前面が開口し、内壁面が床面、背面及び側面である冷凍室４は、上述の様に、冷凍室上ケース１１と冷凍室下ケース１２の２つの引き出し容器を有し、また冷凍室下ケース１２はレール１３によりその上面の縁が支えられている。ここで、冷凍室上ケース１１と冷凍室下ケース１２は、その側面及び底の外周囲を覆うように対流制御部であるシール部材２６を備えている。このシール部材２６は、冷凍室上ケース１１または冷凍室下ケース１２の側外面と、対向する冷凍室４の側面である冷凍室側壁２５との第２の間隙と、冷凍室下ケース１２の底面と冷凍室床面５２との第３の間隙に形成され、冷凍室上ケース１１または冷凍室下ケース１２の上面から溢れた冷気が、冷凍室扉８と引き出し容器の前外面との第１の間隙に対流することを抑制する働きがある。
【００１８】
図４中の矢印は、冷凍室上吹出口１７から冷凍室上ケース１１内へ吹き出される冷気と、冷凍室下吹出口１８から冷凍室下ケース１２内へ吹き出される冷気と、冷凍室４から冷気吸込口２４へ吸い込まれる冷気の流れを示している。
【００１９】
図３における矢印は模式的な冷気の対流を示している。破線で囲まれた矢印は、冷凍室上吹出口１７から冷凍室上ケース１１内を循環する冷気及び冷凍室下吹出口１８から冷凍室下ケース１２内を循環する冷気の流れを示し、実線で囲まれた白抜きの矢印は、冷凍室上ケース１１及び冷凍室下ケース１２のから溢れ、各ケースの側外面と冷凍室側壁２５との第２の間隙に流れている冷気を示し、黒抜きの矢印は冷凍室下ケース１２の底面と冷凍室床面５２との第３の間隙を通って冷凍室４の背面にある冷気吸込口２４へ流れる冷気を示している。つまり、シール部材２６が第２の間隙と第３の間隙に形成されていることにより、冷凍室上吹出口１７及び冷凍室下吹出口１８から吹き出された冷気は冷凍室上ケース１１及び冷凍室下ケース１２の内部を循環して冷却した後、それぞれ対流制御部であるシール部材２６より背面側の冷凍室上ケース１１及び冷凍室下ケース１２の上面から溢れて、各ケース側外面と冷凍室側壁２５の間にある第２の隙間を通り、対流制御部であるシール部材２６より背面側の冷凍室下ケース１２の底面と冷凍室床面５２との第３の間隙を背面側へ流れ、冷気吸込口２４を通って冷却器２０に戻ることにより冷却が実施される。
【００２０】
このため、引き出し容器である冷凍室上ケース１１及び冷凍室下ケース１２の上面から溢れた冷気は冷凍室扉８と引き出し容器の前外面との間の第１の間隙には対流せず、つまり、対流制御部であるシール部材２６より冷凍室扉８側では冷気の対流が発生せず、淀んだ空気層が存在する。
【００２１】
対流制御部であるシール部材２６は、引き出し容器である冷凍室上ケース１１及び冷凍室下ケース１２の中央より前面側に位置することが望ましい。
【００２２】
シール部材２６としては、ゴム状のパッキング材や、柔軟性のある発泡性の断熱材等が挙げられる。シール部材２６は一定の厚み及び強度があり、冷凍室４の内壁に固定されていてもよいし、引き出し容器に固定されていてもよいし、それらが組み合わされていてもよい。
【００２３】
また、シール部材２６は膜状の構造でその一辺が冷凍室側壁２５及び冷凍室床面５２などの冷凍室４の内壁か、または冷凍室上ケース１１や冷凍室下ケース１２などの引き出し容器に固定されていてもよい。
【００２４】
また、シール部材２６は棒状の構造で冷凍室側壁２５及び冷凍室床面５２などの冷凍室４の内壁か、または冷凍室上ケース１１や冷凍室下ケース１２などの引き出し容器に固定されていてもよい。
【００２５】
次に、本実施の形態の作用について説明する。通常、冷凍室扉８にはパッキンを設けるなどして、冷凍室外からの熱侵入を防ぐ処理が施されている。しかし、パッキンが設けられている冷凍室扉８と引き出し容器の前外面との間の第１の間隙に冷気が対流すると、パッキンが冷気で冷却されてシール機能が低下してしまい、冷凍室扉８近傍から冷凍室４内へ熱侵入が生じ、冷凍室扉近傍で熱ロスが発生してしまうという問題がある。
【００２６】
また、開閉機能を有することが必要な冷凍室扉８の近傍は、背面や側面に比べてその構造上、断熱材を十分に設けて断熱性能を強くすることが困難である。
【００２７】
また、冷蔵庫１００の購入者は、冷凍室扉８を開閉することで食品の出し入れを行うため、冷凍室扉８を開けた際に冷凍室４外から熱が侵入、または冷凍室４内から冷気が漏洩する。
【００２８】
加えて、冷凍室扉８近傍には露付きを防止するために、熱源となる結露防止対策が施される。例えば、本実施の形態では高温（約３５℃）の凝縮パイプ２３を冷凍室扉８の近傍に這わせてあり、冷凍室４にとって熱源となっている。従来技術では冷凍室４の側面方向への冷気の流れを制御しているが、冷凍室扉８近傍の第１の間隙に冷気が流れるため、冷気が冷凍室扉８近傍で受熱することによる熱侵入の促進は避けられない。
【００２９】
このように、冷凍室扉８近傍は、側面や背面に比べて断熱性能が低いが、冷気が第１の間隙を対流するため熱ロスが生じるという問題があった。
【００３０】
本実施の形態によれば、対流制御部であるシール部材２６を取り付けることで、冷凍室扉８近傍の第１の間隙に冷気が流れることを防止でき、かつ、冷凍室扉８近傍の第１の間隙の気密性を高めることができる。つまり、冷凍室扉８近傍の空気の対流を抑制し、淀ませることができる。これにより、侵入した熱は冷凍室扉８近傍の第１の間隙で淀んでいる空気にのみ熱伝導で伝わり、対流により冷凍室４内には拡がらない。それゆえ、この淀んだ空気層が断熱層となり、実質的に冷凍室扉８近傍の第１の間隙がウレタン等の断熱材で満たされたのと同等の効果を得ることができる。このため、断熱材を設けること等で断熱性を強化することが構造、意匠面から困難な冷凍室扉８近傍であっても大幅な断熱性能の改善効果を得ることができる。
【００３１】
つまり、本実施の形態を用いれば、上記で述べたような、断熱材の備えられていない冷凍室扉８近傍の断熱性能を強化することができ、さらに冷凍室扉８開閉したときの熱ロスを低減し、また、結露防止対策である熱源が設けられていた場合に、その熱源からの受熱を抑制できるという効果が得られる。
【００３２】
なお、より大きい効果を得るために、図５に示すように、冷凍室ケースフタ２８をシール部材２６より冷凍室扉８側に設け、その上部にも対流制御部としてシール部材２６を備える構造を取っても良い。これにより、冷凍室扉８近傍の第１の間隙を密閉することができ、この場合は冷蔵庫１００停止時の自然対流も抑制できるという効果がある。つまり、冷蔵庫１００の停止時において浮力により上昇した第１の間隙の高温空気が冷凍室４内に拡がることを抑制する効果が得られる。
【００３３】
ここで、本実施の形態１の効果を検討するため、冷蔵庫１００動作時における冷凍室４の数値解析を実施した。図６は本実施の形態で冷凍室扉８近傍に設けられた凝縮パイプ２３から冷凍室４へ入る熱侵入量をシミュレーションした結果である。縦軸は従来構造での熱侵入量を基準とした熱侵入量の比率とし、図３で示される本発明の実施の形態１の構造とした場合及び、図５で示される本発明の実施の形態１でさらに冷凍室上ケース１１上に冷凍室ケースフタ２８を設けた場合における熱侵入量を示している。図６より、冷凍室扉８近傍の第１の間隙の気密性を上げた本実施の形態を用いることで、顕著な熱侵入量の低減効果が確認できた。
【００３４】
なお、対流制御部であるシール部材２６については、引き出し容器の側外面と冷凍室側壁２５との第２の間隙において、図３では冷凍室上ケース１１と冷凍室下ケース１２の上面から底面までの高さに設ける構造としたが、図７に示すように、一部にシール部材２６を取り付けることによっても省エネ効果を得ることができる。図７では、冷凍室下ケース１２の側外面において上面から底面までの高さにシール部材２６が取り付けられ、冷凍室上ケース１１の側外面にはシール部材２６は設けられていないが、この場合でも冷凍室扉８近傍の第１の間隙の下方の空気層を淀ますことができるため、同様の効果を得ることができる。
【００３５】
また、冷凍室上ケース１１の上面と冷凍室４の天井との第４の間隙にも対流制御部としてシール部材２６を設けても、第１の間隙の上方の空気も淀ますのでより高い効果が得られる。さらに、図５に示すように、冷凍室上ケース１１において、対流制御部であるシール部材２６より前面側の上面を覆うふたを備えると、冷凍室扉８近傍の第１の間隙を密閉することができるのでより大きな断熱効果が得られる。
【００３６】
現在の標準的な５２０Ｌ型冷蔵庫の寸法は、高さ１８２０ｍｍ、幅６８０ｍｍ、奥行き７００ｍｍである。対流制御部の設置位置に関しては、本実施の形態が冷凍室扉８近傍の第１の間隙において空気層を発生させて熱を閉じ込めることを目的としていることに鑑みると、その設置位置は扉に近い方が好ましいが、例えば、扉の内側から１００ｍｍ程度が望ましい。
【００３７】
扉の内側から１００ｍｍ以下の位置であっても、対流制御部が引き出し容器の前外面より背面側にあれば、第１の間隙を冷気が対流しないので、第１の間隙に淀んだ空気層を発生させることができ、本実施の形態の効果が得られる。
【００３８】
上記範囲外、つまり扉の内側から１００ｍｍ以上の位置に対流制御部があっても、空気層の体積が大きくなり、断熱性能がより高くなる効果があるため、扉の内側から１００ｍｍ以上の位置に対流制御部が備えられていてもよい。
【００３９】
ただし、扉の内側から離れるほど、引き出し容器内を循環する冷気の対流が抑制されることにつながるため、対流制御部は引き出し容器の中央から前面側に設けることが望ましい。
【００４０】
本実施の形態では、以上のような構成としたことにより、対流制御部であるシール部材２６より冷凍室扉８側の第１の間隙を冷気が対流せず、空気を淀ませることができるので冷凍室扉８近傍の気密性が向上し、つまり構造上、断熱性能が低い冷凍室扉８近傍の断熱性が改善し、冷凍室扉８の周辺から冷凍室４内部への熱侵入が抑制できて、省エネ効果が得られる。
【００４１】
また、結露防止対策で熱源が設けられる冷凍室扉８近傍からの熱侵入を、本実施の形態では断熱性能が低い冷凍室扉８近傍に空気層を発生させることにより、断熱材を設けなくても抑制する効果がある。
【００４２】
さらに、冷凍室扉８の開閉時の熱侵入、熱漏洩を、本実施の形態では第１の間隙に発生させた空気層により抑制する効果がある。
【００４３】
本実施の形態では冷凍室下ケース１２の底面と冷凍室床面５２との第３の間隙にもシール部材２６を設ける構造としたが、第３の隙間に冷気が対流しないよう、冷凍室下ケース１２と冷凍室４の床面との間の第３の隙間を小さくする、もしくは接触するように冷凍室下ケース１２の底面を下げてもよい。こうすることによって冷凍室扉８付近から床面の第３の間隙に流れる冷気の対流を抑制する効果が得られ、つまり、冷凍室扉８近傍の第１の歓迎の気密性の向上を実現できる。このとき、引き出し容器内を冷却し、シール部材２６より背面側にある引き出し容器の上面から引き出し容器の側外面と冷凍室側壁２５との第２の間隙に流れ出た冷気は、引き出し容器側面と冷凍室側壁２５との間の第２の隙間を背面まで通り、冷凍室４の内側背面に設けられた冷気吸込口２４を通って、冷蔵庫１００の背面に備えられている冷却器２０まで戻る。
【００４４】
また、本実施の形態では冷凍室４について記載したが、切替室２、製氷室３、野菜室５、冷蔵室１等の他の部屋においても本実施の形態で用いた扉、引き出し容器、冷気吹出口、冷気吸込口、対流制御部を備える基本的な構成が変わらなければ、本実施の形態１を実施できる。
【００４５】
なお、本実施の形態では冷蔵庫１００の各部屋の位置関係について図１のように記載したが、各部屋の位置関係が入れ替わっていても、同様に実施することができることは言うまでもない。
【００４６】
実施の形態２．
図８は、本発明の実施の形態２に係る冷凍室４を正面方向から見た左側半分の断面図を示す図である。右側半分は、図８を折り返した構造をなし、つまり冷凍室４は正面から見て左右対称の断面構造を有する。図８は、冷凍室上ケース１１、冷凍室下ケース１２の一部を突出させた冷凍室上ケース突出部１１ａ及び冷凍室下ケース突出部１２ａを第２の間隙に設けた対流制御部としている。本発明の実施の形態２では、実施の形態１におけるシール部材２６である対流制御部を冷凍室上ケース突出部１１ａ及び冷凍室下ケース突出部１２ａとしたことを特徴とする。それ以外については、実施の形態１と同様である。尚、図８では冷凍室下ケース１２と冷凍室床面５２との第３の間隙は冷気が対流しないよう、十分狭くしている。
【００４７】
本実施の形態では、図８で示されるように、冷凍室上ケース１１、冷凍室下ケース１２の側外面のうち一部を突出させることで対流制御部としている。本実施の形態における図８の冷凍室４を背面側から見た斜視図を図９に示す。図９ように、冷凍室上ケース１１の冷凍室扉８近傍の側面の一部には冷凍室上ケース突出部１１ａが、冷凍室下ケース１２の冷凍室扉８近傍の側面の一部には冷凍室下ケース突出部１２ａが設けられており、冷凍室上ケース１１の側外面と冷凍室側壁２５、及び冷凍室下ケース１２の側外面と冷凍室側壁２５の第２の間隙の一部を塞ぐ対流制御部となっている。そのため、冷凍室上ケース突出部１１ａ又は冷凍室下ケース突出部１２ａと冷凍室側壁２５間の間隙の距離は十分に狭く、引き出し容器の前外面と冷凍室扉８との第１の間隙の対流を抑制できる。
【００４８】
本実施の形態における冷凍室下ケース１２と冷凍室床面５２との第３の隙間は、図８では冷気が対流しないように狭くした構造としているが、実施の形態１と同様にシール部材２６を設ける構造としてもよい。また、冷凍室下ケース１２の床面の冷凍室扉８側の一部に突出部を設けてもよく、つまり、冷凍室下ケース１２の両側面に形成された突出部１２ａが連続するように冷凍室下ケース１２の床面側の底部にも突出部１２ａを設けていてもよい。
【００４９】
本実施の形態では、引き出し容器の一部を突出させることによって対流制御部を形成し、冷凍室扉８と引き出し容器前外面との第１の間隙における冷気の対流を抑制する効果が得られ、つまり、冷凍室扉８近傍の気密性の向上を実現でき、冷凍室扉８近傍の断熱性を高くすることができる。
【００５０】
また、本実施の形態では引き出し容器の一部を突出させることによって対流制御部を形成したが、図１０で正面方向から見た左側半分の断面図を示すように冷凍室側壁２５の一部を突出させて側壁突出部２５ａを設け、対流制御部としてもよい。
【００５１】
図１０は、冷凍室側壁２５を突出させた場合に、正面方向から見た左側半分の断面図を示す。図１０のように冷凍室側壁２５は冷凍室上ケース１１、冷凍室下ケース１２に沿う形状となるよう、側壁突出部２５ａが設けられている。それゆえ引き出し容器を突出させた図８と同様に、対流を抑制することができる。図１０の背面側から見た斜視図は、図９における冷凍室上ケース突出部１１ａ及び冷凍室下ケース突出部１２ａを側壁突出部２５ａとした場合に相当する。図１０の構造においても、冷凍室扉８近傍の第１の間隙の気密性が向上できるため、冷凍室扉８周辺の断熱性を向上でき、省エネ効果が得られる。
【００５２】
本実施の形態では、引き出し容器の一部または冷凍室側壁２５を突出させることによって対流制御部を形成しているので新たな部品を用いる必要がなく、コスト増加を抑制したまま、冷凍室扉８周辺の断熱性を向上でき、省エネ効果が得られる。
【００５３】
尚、本発明の実施の形態２では本発明の実施の形態１と相違する部分について説明し、同一または対応する部分についての説明は省略した。
【００５４】
実施の形態３．
図１１は、本発明の実施の形態３に係る冷凍室４の正面方向から見た左側半分の断面図を示す図である。右側半分は、図１１を折り返した構造をなし、つまり冷凍室４は正面から見て左右対称の構造を有する。本発明の実施の形態３で図１１に示す冷凍室４は、冷凍室上ケース１１と冷凍室下ケース１２についてケース形状に加工を施しており、ケース側面の一部のケース形状を拡張させたケース中空構造２９を有し、対流制御部としたことを特徴とする。それ以外については、実施の形態１または実施の形態２と同様である。
【００５５】
本実施の形態における冷凍室４を背面側から見た斜視図は、図９において冷凍室上ケース突出部１１ａ及び冷凍室下ケース突出部１２ａをケース中空構造２９とした場合に相当する。
【００５６】
本実施の形態による作用は、このケース中空構造２９内に空気を閉じ込めることにより、冷凍室扉８近傍の第１の間隙に相当する部分について、対流をより確実に抑制することができ、さらに冷蔵庫１００の停止時においても、ケース中空構造２９内の部分においては浮力による空気上昇が生じない。これにより、ケース中空構造２９部分についてはウレタン等の断熱材と同等の断熱効果が期待でき省エネ性を向上できる。
【００５７】
なお、本実施の形態のケース中空構造２９は空気を閉じ込めることとしたが、ケース中空構造２９内はウレタン等の断熱材で満たされていても良い。
【００５８】
また、図１２に示した冷凍室４の正面方向から見た左側半分の断面図のように、ケース中空構造３０に補強用リブ（図１２内の点線）を設け、強度を補強しても差し支え無い。また、補強用リブはケース中空構造３０内で生じる対流を防止する役割も期待できる。尚、レール１３の位置はどの高さ方向に設けてもよい。
【００５９】
本発明の実施の形態３では本発明の実施の形態１または実施の形態２と相違する部分について説明し、同一または対応する部分についての説明は省略した。
【符号の説明】
【００６０】
１  冷蔵室
２  切替室
３  製氷室
４  冷凍室
５  野菜室
６  冷蔵室扉
７  切替室扉
８  冷凍室扉
９  野菜室扉
１０  切替室ケース
１１  冷凍室上ケース
１１ａ  冷凍室上ケース突出部
１２  冷凍室下ケース
１２ａ  冷凍室下ケース突出部
１３  レール
１４  野菜室上ケース
１５  野菜室下ケース
１６  切替室吹出口
１７  冷凍室上吹出口
１８  冷凍室下吹出口
１９  ファン
２０  冷却器
２１  除霜装置
２２  圧縮機
２３  凝縮パイプ
２４  冷気吸込口
２５  冷凍室側壁
２５ａ  側壁突出部
２６  シール部材
２８  冷凍室ケースフタ
２９  ケース中空構造
３０  補強用リブを有するケース中空構造
５０  冷蔵室床面
５１  切替室床面
５２  冷凍室床面
５３  野菜室床面
５６  冷蔵室ケース
１００  冷蔵庫
【図１】
2014070743.tif 000003
【図２】
2014070743.tif 000004
【図３】
2014070743.tif 000005
【図４】
2014070743.tif 000006
【図５】
2014070743.tif 000007
【図６】
2014070743.tif 000008
【図７】
2014070743.tif 000009
【図８】
2014070743.tif 000010
【図９】
2014070743.tif 000011
【図１０】
2014070743.tif 000012
【図１１】
2014070743.tif 000013
【図１２】
2014070743.tif 000014